(57)【要約】態様では、方法は、物理アップリンク共有チャネル（ＰＵＳＣＨ）および物理アップリンク制御チャネル（ＰＵＣＣＨ）におけるアップリンク制御信号のブラインド復号を用いて支援する。この方法は、ユーザ機器（ＵＥ）がアップリンク許可を見失い、ブラインド復号が生じるイベントにおいて、アップリンク制御パスを決定することを支援する。アップリンク・アクノレッジメント、ランク・インジケータ、および／または、チャネル品質インジケータがＰＵＳＣＨにおいて発見されたか否かが判定される。発見されたと判定されなかった場合、スケジューリング要求が期待されているか否か、および、スケジューリング要求のための特別な取り扱いが示されているか否かが判定される。これらの判定と、アップリンク信号のための何れかの復号の試みが成功したか否かとに依存して、ＰＵＳＣＨかＰＵＣＣＨの何れかが、アップリンク制御パスとして選択される。
2013545414.tif 000002
【特許請求の範囲】
【請求項１】
無線通信の方法であって、
制御チャネル情報とデータ・チャネル情報とを含むアップリンク送信を受信することと、
前記アップリンク送信において、第１のタイプの制御チャネル情報が期待されている場合、データ・チャネルにおいて、前記第１のタイプの制御チャネル情報を復号することを試みることと、
前記データ・チャネルにおいて、前記第１のタイプの制御チャネル情報を復号する試みが成功した場合、前記データ・チャネルを、アップリンク制御パスとなるように選択することと、
前記データ・チャネルにおいて、前記第１のタイプの制御チャネル情報を復号する試みが成功しなかった場合、制御チャネルにおいて、前記第１のタイプの制御チャネル情報を復号することを試みることと、
前記制御チャネルにおいて、前記第１のタイプの制御チャネル情報を復号する試みが成功した場合、前記制御チャネルを、前記アップリンク制御パスとなるように選択すること、
を備える方法。
【請求項２】
第２のタイプの制御チャネル情報が、前記アップリンク送信において期待されていない場合、前記第１のタイプの制御チャネル情報が、前記アップリンク送信において期待されていない場合、または、前記制御チャネルにおいて、前記第１のタイプの制御チャネル情報を復号する試みが成功しなかった場合、前記データ・チャネルを、前記アップリンク制御パスとなるように選択すること、をさらに備える請求項１に記載の方法。
【請求項３】
前記第２のタイプの制御チャネル情報は、スケジューリング要求である、請求項２に記載の方法。
【請求項４】
第２のタイプの制御チャネル情報が、前記アップリンク送信において期待されている場合、前記第２のタイプの制御チャネル情報の特別な取り扱いが示されている場合、前記第１のタイプの制御チャネル情報が、前記アップリンク送信において期待されていない場合、前記データ・チャネルを、前記アップリンク制御パスとなるように選択すること、をさらに備える請求項１に記載の方法。
【請求項５】
特別な取り扱いが示されていない場合、前記制御チャネルにおいて、前記第１のタイプの制御チャネル情報と第２のタイプの制御チャネル情報との復号を試みることと、
前記制御チャネルにおいて、前記第１のタイプの制御チャネル情報と前記第２のタイプの制御チャネル情報とを復号する試みが成功した場合、前記制御チャネルを、前記アップリンク制御パスとなるように選択することと、
前記制御チャネルにおいて、前記第１のタイプの制御チャネル情報と前記第２のタイプの制御チャネル情報とを復号する試みが成功しなかった場合、前記データ・チャネルを、前記アップリンク制御パスとなるように選択することと、
をさらに備える請求項１に記載の方法。
【請求項６】
前記制御チャネルにおいて、前記第１のタイプの制御チャネル情報と第２のタイプの制御チャネル情報との復号を試みることは、前記第２のタイプの制御チャネル情報の特別な取り扱いが示されていない場合、または、前記第２のタイプの制御チャネル情報の特別な取り扱いが示され、前記第１のタイプの制御チャネル情報が期待されている場合、になされる、請求項５に記載の方法。
【請求項７】
前記選択されたアップリンク制御パスにしたがって、
サウンディング基準信号を復号することと、
周波数トラッキング・ループ、タイミング・トラッキング・ループ、および信号対雑音比を計算することと、
をさらに備える請求項１に記載の方法。
【請求項８】
前記第１のタイプの制御チャネル情報は、チャネル品質インジケータ（ＣＱＩ）、ランク・インジケータ（ＲＩ）、およびアップリンク・アクノレッジメント（ＵＬ−ＡＣＫ）の任意の組み合わせである、請求項１に記載の方法。
【請求項９】
前記データ・チャネルは、物理アップリンク共有チャネル（ＰＵＳＣＨ）であり、前記制御チャネルは、物理アップリンク制御チャネル（ＰＵＣＣＨ）である、請求項１に記載の方法。
【請求項１０】
前記第１のタイプの制御チャネル情報は、チャネル品質インジケータ（ＣＱＩ）、ランク・インジケータ（ＲＩ）、アップリンク・アクノレッジメント（ＵＬ−ＡＣＫ）、巡回冗長検査（ＣＲＣ）、および信号対雑音比（ＳＮＲ）の任意の組み合わせである、請求項１に記載の方法。
【請求項１１】
無線通信のための装置であって、
制御チャネル情報とデータ・チャネル情報とを含むアップリンク送信を受信する手段と、
前記アップリンク送信において、第１のタイプの制御チャネル情報が期待されている場合、データ・チャネルにおいて、前記第１のタイプの制御チャネル情報を復号することを試みる手段と、
前記データ・チャネルにおいて、前記第１のタイプの制御チャネル情報を復号する試みが成功した場合、前記データ・チャネルを、アップリンク制御パスとなるように選択する手段と、
前記データ・チャネルにおいて、前記第１のタイプの制御チャネル情報を復号する試みが成功しなかった場合、制御チャネルにおいて、前記第１のタイプの制御チャネル情報を復号することを試みる手段と、
前記制御チャネルにおいて、前記第１のタイプの制御チャネル情報を復号する試みが成功した場合、前記制御チャネルを、前記アップリンク制御パスとなるように選択する手段と、
を備える装置。
【請求項１２】
無線通信のためのコンピュータ・プログラム製品であって、
記録された非一時的なプログラム・コードを有する非一時的なコンピュータ読取可能な媒体を備え、前記プログラム・コードは、
制御チャネル情報とデータ・チャネル情報とを含むアップリンク送信を受信するためのプログラム・コードと、
前記アップリンク送信において、第１のタイプの制御チャネル情報が期待されている場合、データ・チャネルにおいて、前記第１のタイプの制御チャネル情報を復号することを試みるためのプログラム・コードと、
前記データ・チャネルにおいて、前記第１のタイプの制御チャネル情報を復号する試みが成功した場合、前記データ・チャネルを、アップリンク制御パスとなるように選択するためのプログラム・コードと、
前記データ・チャネルにおいて、前記第１のタイプの制御チャネル情報を復号する試みが成功しなかった場合、制御チャネルにおいて、前記第１のタイプの制御チャネル情報を復号することを試みるためのプログラム・コードと、
前記制御チャネルにおいて、前記第１のタイプの制御チャネル情報を復号する試みが成功した場合、前記制御チャネルを、前記アップリンク制御パスとなるように選択するためのプログラム・コードと
を備える、コンピュータ・プログラム製品。
【請求項１３】
無線通信のための装置であって、
メモリと、
前記メモリに接続された少なくとも１つのプロセッサとを備え、
前記少なくとも１つのプロセッサは、
制御チャネル情報とデータ・チャネル情報とを含むアップリンク送信を受信し、
アップリンク送信において、第１のタイプの制御チャネル情報が期待されている場合、データ・チャネルにおいて、前記第１のタイプの制御チャネル情報を復号することを試み、
前記データ・チャネルにおいて、前記第１のタイプの制御チャネル情報を復号する試みが成功した場合、前記データ・チャネルを、アップリンク制御パスとなるように選択し、
前記データ・チャネルにおいて、前記第１のタイプの制御チャネル情報を復号する試みが成功しなかった場合、制御チャネルにおいて、前記第１のタイプの制御チャネル情報を復号することを試み、
前記制御チャネルにおいて、前記第１のタイプの制御チャネル情報を復号する試みが成功した場合、前記制御チャネルを、前記アップリンク制御パスとなるように選択する
ように構成された、装置。
【請求項１４】
前記少なくとも１つのプロセッサはさらに、第２のタイプの制御チャネル情報が、前記アップリンク送信において期待されていない場合、前記第１のタイプの制御チャネル情報が、前記アップリンク送信において期待されていない場合、または、前記制御チャネルにおいて、前記第１のタイプの制御チャネル情報を復号する試みが成功しなかった場合、前記データ・チャネルを、前記アップリンク制御パスとなるように選択するように構成された、請求項１３に記載の装置。
【請求項１５】
前記第２のタイプの制御チャネル情報は、スケジューリング要求である、請求項１４に記載の装置。
【請求項１６】
前記少なくとも１つのプロセッサはさらに、第２のタイプの制御チャネル情報が、前記アップリンク送信において期待されている場合、前記第２のタイプの制御チャネル情報の特別な取り扱いが示されている場合、前記第１のタイプの制御チャネル情報が、前記アップリンク送信において期待されていない場合、前記データ・チャネルを、前記アップリンク制御パスとなるように選択するように構成された、請求項１３に記載の装置。
【請求項１７】
前記少なくとも１つのプロセッサはさらに、
特別な取り扱いが示されていない場合、前記制御チャネルにおいて、前記第１のタイプの制御チャネル情報と第２のタイプの制御チャネル情報との復号を試み、
前記制御チャネルにおいて、前記第１のタイプの制御チャネル情報と前記第２のタイプの制御チャネル情報とを復号する試みが成功した場合、前記制御チャネルを、前記アップリンク制御パスとなるように選択し、
前記制御チャネルにおいて、前記第１のタイプの制御チャネル情報と前記第２のタイプの制御チャネル情報とを復号する試みが成功しなかった場合、前記データ・チャネルを、前記アップリンク制御パスとなるように選択する
ように構成された、請求項１３に記載の装置。
【請求項１８】
前記少なくとも１つのプロセッサはさらに、前記第２のタイプの制御チャネル情報の特別な取り扱いが示されていない場合、または、前記第２のタイプの制御チャネル情報の特別な取り扱いが示され、前記第１のタイプの制御チャネル情報が期待されている場合、前記制御チャネルにおいて、前記第１のタイプの制御チャネル情報と第２のタイプの制御チャネル情報との復号を試みるように構成された、請求項１７に記載の装置。
【請求項１９】
前記少なくとも１つのプロセッサはさらに、
前記選択されたアップリンク制御パスにしたがって、
サウンディング基準信号を復号し、
周波数トラッキング・ループ、タイミング・トラッキング・ループ、および信号対雑音比を計算する
ように構成された、請求項１３に記載の装置。
【請求項２０】
前記第１のタイプの制御チャネル情報は、チャネル品質インジケータ（ＣＱＩ）、ランク・インジケータ（ＲＩ）、およびアップリンク・アクノレッジメント（ＵＬ−ＡＣＫ）の任意の組み合わせである、請求項１３に記載の装置。
【請求項２１】
前記データ・チャネルは、物理アップリンク共有チャネル（ＰＵＳＣＨ）であり、前記制御チャネルは、物理アップリンク制御チャネル（ＰＵＣＣＨ）である、請求項１３に記載の装置。
【請求項２２】
前記第１のタイプの制御チャネル情報は、チャネル品質インジケータ（ＣＱＩ）、ランク・インジケータ（ＲＩ）、アップリンク・アクノレッジメント（ＵＬ−ＡＣＫ）、巡回冗長検査（ＣＲＣ）、および信号対雑音比（ＳＮＲ）の任意の組み合わせである、請求項１３に記載の装置。
【発明の詳細な説明】
【関連出願に対する相互参照】
【０００１】
本願は、２０１０年１２月１日にＭａｌｌａｄｉらの名前で出願された米国仮特許出願６１／４１８，４９２号の利益を主張する。この開示は、全体が参照によって本明細書に明確に組み込まれている。
【技術分野】
【０００２】
本開示の態様は、一般に、無線通信システムに関し、さらに詳しくは、ブラインド復号を用いてアップリンク制御パスを決定することに関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉と遭遇しうる。アップリンクでは、ＵＥからの送信が、近隣の基地局と通信する別のＵＥのアップリンク送信からの、または、別の無線ＲＦ送信機からの干渉と遭遇しうる。この干渉は、ダウンリンクとアップリンクとの両方のパフォーマンスを低下させうる。
【０００６】
モバイル・ブロードバンド・アクセスに対する需要が増加し続けると、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００７】
無線通信のための方法が提案される。この方法は、制御チャネル情報とデータ・チャネル情報とを含むアップリンク送信を受信すること、を含む。この方法はまた、アップリンク送信において、第１のタイプの制御チャネル情報が期待されている場合、データ・チャネルにおいて、第１のタイプの制御チャネル情報を復号することを試みること、を含む。この方法はさらに、データ・チャネルにおいて、第１のタイプの制御チャネル情報を復号する試みが成功した場合、データ・チャネルを、アップリンク制御パスとなるように選択すること、を含む。この方法はさらにまた、データ・チャネルにおいて、第１のタイプの制御チャネル情報を復号する試みが成功しなかった場合、制御チャネルにおいて、第１のタイプの制御チャネル情報を復号することを試みること、を含む。この方法はまた、制御チャネルにおいて、第１のタイプの制御チャネル情報を復号する試みが成功した場合、制御チャネルを、アップリンク制御パスとなるように選択すること、を含む。
【０００８】
無線通信のための装置が提案される。この装置は、制御チャネル情報とデータ・チャネル情報とを含むアップリンク送信を受信する手段、を含む。この装置はまた、アップリンク送信において、第１のタイプの制御チャネル情報が期待されている場合、データ・チャネルにおいて、第１のタイプの制御チャネル情報を復号することを試みる手段、を含む。この装置はさらに、データ・チャネルにおいて、第１のタイプの制御チャネル情報を復号する試みが成功した場合、データ・チャネルを、アップリンク制御パスとなるように選択する手段、を含む。この装置はさらにまた、データ・チャネルにおいて、第１のタイプの制御チャネル情報を復号する試みが成功しなかった場合、制御チャネルにおいて、第１のタイプの制御チャネル情報を復号することを試みる手段、を含む。この装置はまた、制御チャネルにおいて、第１のタイプの制御チャネル情報を復号する試みが成功した場合、制御チャネルを、アップリンク制御パスとなるように選択する手段、を含む。
【０００９】
無線通信のためのコンピュータ・プログラム製品が提案される。このコンピュータ・プログラム製品は、記録された非一時的なプログラム・コードを有する非一時的なコンピュータ読取可能な媒体を含む。このプログラム・コードは、制御チャネル情報とデータ・チャネル情報とを含むアップリンク送信を受信するためのプログラム・コードを含む。このプログラム・コードはまた、アップリンク送信において、第１のタイプの制御チャネル情報が期待されている場合、データ・チャネルにおいて、第１のタイプの制御チャネル情報を復号することを試みるためのプログラム・コードを含む。このプログラム・コードさらに、データ・チャネルにおいて、第１のタイプの制御チャネル情報を復号する試みが成功した場合、データ・チャネルを、アップリンク制御パスとなるように選択するためのプログラム・コードを含む。さらにまた、このプログラム・コードは、データ・チャネルにおいて、第１のタイプの制御チャネル情報を復号する試みが成功しなかった場合、制御チャネルにおいて、第１のタイプの制御チャネル情報を復号することを試みるためのプログラム・コードを含む。このプログラム・コードはまた、制御チャネルにおいて、第１のタイプの制御チャネル情報を復号する試みが成功した場合、制御チャネルを、アップリンク制御パスとなるように選択するためのプログラム・コードを含む。
【００１０】
無線通信のための装置が提案される。この装置は、メモリと、このメモリに接続されたプロセッサ（単数または複数）とを含む。プロセッサ（単数または複数）は、制御チャネル情報とデータ・チャネル情報とを含むアップリンク送信を受信するように構成される。プロセッサ（単数または複数）はまた、アップリンク送信において、第１のタイプの制御チャネル情報が期待されている場合、データ・チャネルにおいて、第１のタイプの制御チャネル情報を復号することを試みるように構成される。このプロセッサ（単数または複数）はさらに、データ・チャネルにおいて、第１のタイプの制御チャネル情報を復号する試みが成功した場合、データ・チャネルを、アップリンク制御パスとなるように選択するように構成される。このプロセッサ（単数または複数）はさらに、データ・チャネルにおいて、第１のタイプの制御チャネル情報を復号する試みが成功しなかった場合、制御チャネルにおいて、第１のタイプの制御チャネル情報を復号することを試みるように構成される。プロセッサ（単数または複数）はまた、制御チャネルにおいて、第１のタイプの制御チャネル情報を復号する試みが成功した場合、制御チャネルを、アップリンク制御パスとなるように選択するように構成される。
【００１１】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１２】
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、アップリンク通信におけるフレーム構造の例を概念的に例示するブロック図である。
【図４】図４は、本開示の１つの態様にしたがって構成された基地局／ｅノードＢとＵＥとの設計を概念的に例示するブロック図である。
【図５】図５は、本開示の１つの態様にしたがい無線ネットワークにおいて通信するための方法を例示するフローチャートである。
【図６】図６は、本開示の１つの態様にしたがい無線ネットワークにおいて通信するための方法を例示するフローチャートである。
【発明を実施するための形態】
【００１３】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１４】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された団体からの文書に記載されている。ＣＤＭＡ２０００は、「第３世代パートナシップ計画２」（３ＧＰＰ２）と命名された団体からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００１５】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ（登録商標））、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる団体からの文書に記載されている。ＣＤＭＡ２０００およびＵＭＢは、「第３世代パートナシップ計画２」（３ＧＰＰ２）と呼ばれる団体からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりに、これらはともに“ＬＴＥ／−Ａ”と称される）について記載されており、このようなＬＴＥ−Ａ用語が以下の説明の多くで使用される。
【００１６】
図１は、ブラインド復号を用いてアップリンク制御パスを決定する、ＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効通信範囲を提供する。３ＧＰＰでは、用語「セル」は、この用語が使用される文脈に依存して、有効通信範囲エリアにサービス提供しているｅノードＢおよび／またはｅノードＢサブシステムからなる特定の地理的有効通信範囲エリアを称しうる。
【００１７】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、無制限のアクセスに加えて、フェムト・セルとの関連付けを持つＵＥ（例えば、クローズド加入者グループ（ＣＳＧ）内のＵＥ、住宅内のユーザのためのＵＥ等）による制限付のアクセスをも提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００１８】
無線ネットワーク１００はさらに、中継局をも含みうる。中継局は、データおよび／またはその他の情報の送信を上流局（例えば、ｅノードＢ、ＵＥ等）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００１９】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００２０】
無線ネットワーク１００は、同期動作または非同期動作をサポートしうる。同期動作の場合、ｅノードＢは、類似のフレーム・タイミングを有し、異なるｅノードＢからの送信は、時間的にほぼ揃えられうる。非同期動作の場合、ｅノードＢは、異なるフレーム・タイミングを有し、異なるｅノードＢからの送信は、時間的に揃わない場合がある。ここに記載された技術は、同期動作あるいは非同期動作の何れかのために使用されうる。
【００２１】
１つの態様では、無線ネットワーク１００は、周波数分割多重（ＦＤＤ）動作モードまたは時分割多重（ＴＤＤ）動作モードをサポートしうる。本明細書に記載された技術は、ＦＤＤ動作モードまたはＴＤＤ動作モードの何れかのために使用されうる。
【００２２】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００２３】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅノードＢ、ピコｅノードＢ、フェムトｅノードＢ、リレー等と通信することができうる。図１では、両矢印の実線が、ＵＥと、ダウンリンクおよび／またはアップリンクでＵＥにサービス提供するように指定されたｅノードＢであるサービス提供ｅノードＢとの間の所望の送信を示す。両矢印の破線は、ＵＥとｅノードＢとの間の干渉送信を示す。
【００２４】
ＬＴＥ／−Ａは、ダウンリンクで直交周波数分割多重化（ＯＦＤＭ）を、アップリンクでシングル・キャリア周波数分割多重化（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ分割されうる。例えば、サブ帯域は、１．０８ＭＨｚ（すなわち、６リソース・ブロック）をカバーし、１．２５，２．５，５，１０，１５，または２０ＭＨｚの対応するシステム帯域幅についてそれぞれ１，２，４，８，または１６のサブ帯域が存在しうる。
【００２５】
図２は、ＬＴＥ／−Ａにおいて使用されるダウンリンクＦＤＤフレーム構造を示す。ダウンリンクの送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００２６】
ＬＴＥ／−Ａでは、ｅノードＢは、ｅノードＢにおける各セルについて、一次同期信号（ＰＳＣまたはＰＳＳ）と二次同期信号（ＳＳＣまたはＳＳＳ）とを送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２７】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動反復要求（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００２８】
ｅノードＢは、ｅノードＢによって使用されるシステム帯域幅の中央の１．０８ＭＨｚでＰＳＣ、ＳＳＳ、およびＰＢＣＨを送信しうる。ｅノードＢは、これらのチャネルが送信される各シンボル期間において、システム帯域幅全体で、ＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００２９】
各シンボル期間において、多くのリソース要素が利用可能でありうる。おのおののリソース要素は、１つのシンボル期間において１つのサブキャリアをカバーしうる。そして、実数値または複素数値である１つの変調シンボルを送信するために使用されうる。制御チャネルのために使用されるシンボルのために、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧからなるある組み合わせのみが、ＰＤＣＣＨのために許容されうる。
【００３０】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００３１】
ＵＥは、複数のｅノードＢの有効通信範囲内に存在しうる。これらのｅノードＢのうちの１つが、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３２】
図３は、アップリンクＬＴＥ／−Ａ通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥは、連続するサブキャリアのすべてがデータ・セクション内に割り当てられるようになる。
【００３３】
ＵＥは、ｅノードＢへ制御情報を送信するために、制御セクション内にリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和されたシングル・キャリア動作において、ＵＬリソースで並列なチャネルが送信されうる。例えば、制御およびデータ・チャネル、並列制御チャネル、および並列データ・チャネルが、ＵＥによって送信されうる。
【００３４】
ＰＳＣ、ＳＳＣ、ＣＲＳ、ＰＢＣＨ、ＰＵＣＣＨ、ＰＵＳＣＨ、および、ＬＴＥ／−Ａで使用される他のこのような信号およびチャネルは、公的に利用可能な「イボルブド・ユニバーサル地上ラジオ・アクセス（Ｅ−ＵＴＲＡ）；物理チャネルおよび変調」（”Evolved Universal Terrestrial Radio Access (E-UTRA); Physical Channels and Modulation）と題された３ＧＰＰ  ＴＳ  ３６．２１１に記載されている。
【００３５】
図４は、図１における基地局／ｅノードＢのうちの１つ、およびＵＥのうちの１つでありうる、基地局／ｅノードＢ１１０とＵＥ１２０との設計のブロック図を示す。基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００３６】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データおよび制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、データ・シンボル、制御シンボル、および／または基準シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔを介してそれぞれ送信されうる。
【００３７】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００３８】
アップリンクでは、ＵＥ１２０において、送信プロセッサ４６４が、データ・ソース４６２から（例えばＰＵＳＣＨのための）データを、コントローラ／プロセッサ４８０から（例えばＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信されうる。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得されうる。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００３９】
コントローラ／プロセッサ４４０，４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ＵＥ１２０におけるプロセッサ４８０および／またはその他のプロセッサおよびモジュールは、図５および図６に例示された機能ブロック、および／または、本明細書に記載された技術のためのその他の処理の実行または指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００４０】
（ブラインド復号を用いてアップリンク制御パスを決定すること）  
モバイル・デバイス、つまりユーザ機器（ＵＥ）が基地局（ｅＮＢ）と通信している場合、ｅＮＢは、ＵＥにアップリンク許可を送信し、ＵＥに対して、ＵＥがどのようにしてｅＮＢへ制御チャネル情報を送信すべきかを示すだろう。しかしながら、ＵＥは、このアップリンク許可を見失うかもしれない。これが生じると、ＵＥは、ｅＮＢが期待するものとは異なる方式で、ｅＮＢに制御情報を送信しうる。この問題を解決するために、ｅＮＢは、制御チャネルとデータ・チャネルとの両方において、制御情報を探索し、それぞれのチャネルにおいて、ＵＥからの制御信号を復号するためのｅＮＢの能力に基づいて、一方または他方を、アップリンク制御パスとして選択するだろう。
【００４１】
リリース８ＬＴＥアップリンク通信では、アップリンク（ＵＬ）制御情報、アップリンク・データ、およびＵＥサウンディング基準信号（ＳＲＳ）を多重化する際に、チャネル・スケジューリングに基づいて、異なるルールが適合する。制御情報のためのさまざまな構成が、ＵＥまたはｅＮＢのセルによって適用されうる。アップリンク（ＵＬ）制御情報の例は、スケジューリング要求（ＳＲ）、周期的なＣＱＩ（ランク・インジケータ（ＲＩ）またはＣＱＩを含む）、非周期的なＣＱＩ（ＲＩおよびＣＱＩを含む）、およびアップリンク・アクノレッジメント（ＵＬ−ＡＣＫ）を含んでいる。ｅＮＢ特有の構成の例は、同時のＡｃｋ／Ｎａｃｋ（アクノレッジメント／否定的アクノレッジメント）−ＳＲＳ（すなわち、セルＳＲＳがスケジュールされている場合、このセルが、短縮された物理アップリンク制御チャネル（ＰＵＣＣＨ）フォーマット１を使用するか否か）を含む。ＵＥ特有の構成の例は、同時のＡｃｋ／Ｎａｃｋ−ＣＱＩ（チャネル品質インデクス）レポートを含む。
【００４２】
スケジューリング要求（ＳＲ）がスケジュールされた場合、アップリンク・データ・バッファが空ではないのであれば、ＵＥは、肯定的なスケジューリング要求を送信し、そうではないのであれば、このスケジューリング要求をスキップしうる。アップリンク・データも非周期的なＣＱＩ（ＣＱＩ、プリコーディング行列インジケータ（ＰＭＩ）、ＲＩを含む）もない場合、スケジューリング要求は、周期的なＣＱＩ（ＲＩまたはＣＱＩを含む）を用いて多重化され、アップリンクＡＣＫが、制御チャネルＰＵＣＣＨを介して送信されるだろう。
【００４３】
アップリンク・データおよび／または非周期的なＣＱＩがある場合、周期的なＣＱＩ（ＲＩまたはＣＱＩを含む）とアップリンクＡＣＫは、データを用いて多重化され、データ・チャネルＰＵＳＣＨを介して送信されるだろう。このスケジューリング要求は、媒体アクセス制御（ＭＡＣ）ヘッダ内で、ＰＵＳＣＨペイロードとして伝送される。非周期的なＣＱＩが、アップリンク・データなしで単独で送信され、かつ、ＵＥがスケジューリング要求を送信すれば、非周期的なＣＱＩが落とされるだろう。非周期的なＣＱＩが、周期的なＣＱＩと衝突すると、周期的なＣＱＩが落とされるだろう。
【００４４】
さらに、ＵＥ  ＳＲＳが同じサブフレームでスケジュールされている場合、ＵＥ  ＳＲＳが送信されるか、または落とされるかは、ＵＥがＰＵＣＣＨを介して送信するか、またはＰＵＳＣＨを介して送信するかに依存する。チャネル・コンビネーション、ｅＮＢの構成、およびＵＥの構成に基づいて、低優先度の制御情報およびＵＥ  ＳＲＳが落とされうる。
【００４５】
ＵＥがアップリンク許可を見失う可能性がある。その場合、ＵＥは、制御チャネルＰＵＣＣＨでアップリンク制御情報を送信するだろう。ｅＮＢが、制御情報であることを期待しているデータ・チャネルＰＵＳＣＨの復号を試みる場合、アップリンク制御情報が見失われるだろう。巡回冗長検査によって、ｅＮＢは、復号パスを適切に選択したか否かを判定できるようになりうるが、巡回冗長検査の結果を待つことは、適切な復号タイミングのために利用可能になるのに時間がかかり過ぎるであろう。この問題は、ｅＮＢがＰＵＳＣＨおよびＰＵＣＣＨをブラインド復号することによって解決されうる。ブラインド復号によって、ｅＮＢは、適切なアップリンク制御パスを選択できるようになるだろう。
【００４６】
アップリンク・チャネル多重化は、いくつかの条件に依存するので、良好に定義されたＰＵＳＣＨおよびＰＵＣＣＨブラインド復号ルールが実施を効率化し、アップリンク制御情報復号誤りおよび復号時間を低減しうる。ダウンリンクおよびアップリンクの処理タイムラインにインパクトを与えないＰＵＳＣＨ対ＰＵＣＣＨブラインド復号ルールが提供される。このルールは、各チャネルにおける復号結果に基づいて復号パスを決定しうる。
【００４７】
本開示の態様によれば、アップリンク・データおよび／または非周期的なＣＱＩが期待され、かつ、スケジューリング要求および／またはランク・インジケータおよび／またはアップリンクＡＣＫおよび／またはＣＱＩも期待されている場合、ｅＮＢは、各復号パスのためのアップリンク制御多重化ルールにしたがうことによって、データ・チャネルＰＵＳＣＨと制御チャネルＰＵＣＣＨとの両方で、アップリンク制御情報を復号するだろう。アップリンク制御復号結果が利用可能となれば、さらなるブラインド復号ルールが、アップリンク制御復号パスの勝者を選択しうる。
【００４８】
このルールの１つの態様を次に示す。アップリンクＡＣＫ／ＣＱＩ／ＲＩのうちの何れかがサブフレームにおいて期待されている場合、  
・先ず、ＰＵＳＣＨにおけるアップリンクＡＣＫ／ＣＱＩ／ＲＩの復号結果をチェックする。これらのうちの何れかが正しく復号されている（ＲＩおよびＣＱＩに消去がなく、アップリンクＡＣＫにＤＴＸ（不連続送信）がない）場合、アップリンク制御復号パスを、ＰＵＳＣＨとなるように選択する。  
・そうではない場合、ＰＵＣＣＨにおける復号結果をチェックする。何れかが正しく復号されている場合、アップリンク制御復号パスを、ＰＵＣＣＨとなるように選択する。  
・そうではない場合、次に詳述するように、スケジューリング要求のチェックを続ける。スケジューリング要求が期待されていない場合、アップリンク制御復号パスを、ＰＵＳＣＨとなるように選択する。そうではなく、スケジューリング要求が期待されている場合；
・代替案１：スケジューリング要求は、例えばアップリンクＡＣＫ、ＣＱＩ等のようなその他のアップリンク制御情報から特別に取り扱われうる。スケジューリング要求は、ＰＵＳＣＨで送信される場合、ＰＵＳＣＨペイロードの一部として、媒体アクセス制御（ＭＡＣ）ヘッダに含まれるだろう。その他のアップリンク制御情報が、ＰＵＳＣＨデータを用いて多重化され、その後、送信されるだろう。スケジューリング要求のために特別な取り扱いが示され、このスケジューリング要求が、期待されている唯一のアップリンク制御情報である場合、アップリンク制御復号パスを、ＰＵＳＣＨとなるようにダイレクトに選択する。そうではない場合、肯定的なＳＲ仮説（以下に説明する）に進む。  
・代替案２：スケジューリング要求のための特別な取り扱いが無く、このスケジューリング要求が、期待されている唯一のアップリンク制御情報である場合、あるいは、その他のアップリンク制御情報が期待されている場合、肯定的なＳＲ仮説に進む。  
・肯定的なＳＲ仮説：ＰＵＣＣＨでスケジューリング要求およびその他の制御情報を復号することを試みる。これが成功した場合、アップリンク制御復号パスを、ＰＵＣＣＨとなるように選択する。  
・そうではない場合、アップリンク制御復号パスを、ＰＵＳＣＨとなるように選択する。
【００４９】
アップリンク送信パスが決定されると、ＵＥ  ＳＲＳ、周波数トラッキング・ループ、タイミング・トラッキング・ループ、およびＳＮＲ（信号対雑音比）レポートがすべて、同じソースから選択されるだろう。
【００５０】
前述したルールを例示するフロー図が図５に見られる。ブロック５０２に示されるように、アップリンク・データおよび／または非周期的なＣＱＩが期待され、かつ、スケジューリング要求、ランク・インジケータ、アップリンクＡＣＫ、および／または、周期的なＣＱＩもまた期待されている場合、図５に示すように、アップリンク制御情報を復号する試みがなされる。
【００５１】
制御チャネルＰＵＣＣＨにおいて、アップリンクＡＣＫおよび／またはＣＱＩを用いてスケジューリング要求が多重化されるのであれば、基地局は、制御チャネルＰＵＣＣＨにおいてアップリンク制御情報を復号するために、ブラインド復号を利用しうる。否定的なＳＲ（スケジューリング要求）仮説は、あたかも、スケジューリング要求がまったく無いかのようである。アップリンクＡＣＫおよび肯定的なＳＲがある場合、スケジューリング要求が含まれていることを示す肯定的なＳＲ仮説の結果、ｅＮＢが、スケジューリング要求リソース位置（ｎ＿ＰＵＣＣＨ＿１）においてアップリンクＡＣＫを復号するようになる。あるいは、ＣＱＩおよび肯定的なＳＲがある場合、肯定的なＳＲ仮説の結果、ＣＱＩが落とされるようになる。
【００５２】
ブロック５０４に示すように、この処理は、データ・チャネルＰＵＳＣＨおよび制御チャネルＰＵＣＣＨの両方において復号が試みられた場合に始まる。これらの結果は、メモリに格納され、以下に記載されているように処理される。復号結果が利用可能である場合、１つの態様にしたがって復号パスを決定するための処理が示されている。ブロック５１０では、ランク・インジケータ、アップリンクＡＣＫ、および／またはＣＱＩが期待されているか否かが判定される。これらが期待されていると判定された場合、ブロック５１２において、ランク・インジケータ、アップリンクＡＣＫ、および／またはＣＱＩのうちの何れかが、データ・チャネルＰＵＳＣＨにおいて正しく復号されたと判定される。これらが正しく復号された場合、ブロック５１８に示されているように、データ・チャネルＰＵＳＣＨが、アップリンク制御パスとして選択される。正しく復号されなかった場合、ブロック５２２において、スケジューリング要求無しで、ランク・インジケータ、アップリンクＡＣＫ、および／またはＣＱＩのうちの何れかが、制御チャネルＰＵＣＣＨで正しく復号されたか否かが判定される。これらのうちの何れかが正しく復号されたと判定された場合、ブロック５２４に示すように、ＰＵＣＣＨが、アップリンク制御パスとして選択される。
【００５３】
ランク・インジケータ、アップリンクＡＣＫ、および／またはＣＱＩが、データ・チャネルＰＵＳＣＨパスにおいて期待されていない場合（ブロック５１０：Ｎｏ）、ブロック５１４において、スケジューリング要求が期待されているか否かが判定される。同様に、ランク・インジケータ、アップリンクＡＣＫ、および／またはＣＱＩが、制御チャネルＰＵＣＣＨパスにおいて正しく復号されなかった場合（ブロック５２２：Ｎｏ）も、ブロック５１４において、スケジューリング要求が期待されているか否かが判定される。
【００５４】
ブロック５１４において、スケジューリング要求が期待されていない場合、ブロック５１８に示すように、データ・チャネルＰＵＳＣＨが、アップリンク制御パスとして選択される。スケジューリング要求が期待されている場合、２つの代替案のうちの１つが選択されうる。第１の代替案（３ＧＰＰリリース８において定義されているように、スケジューリング要求のための特別な取り扱いが示されている場合）では、（ブロック５１６に示されるように）スケジューリング要求のみが期待されているか否かが判定される。この答えがイエスである場合、ブロック５１８に示されているように、データ・チャネルＰＵＳＣＨが、アップリンク制御パスとして選択される。答えがノーであり、その他の信号が期待されている場合、処理は、ブロック５２０に進む。第２の代案案（特別な取り扱いが示されていない場合）では、スケジューリング要求が期待されている場合（ブロック５１４：イエス）、処理はブロック５２０に進む。
【００５５】
ブロック５２０では、処理は、スケジューリング要求のあるアップリンク制御データが、制御チャネルＰＵＣＣＨパスで正しく復号されたか否かをチェックする。正しく復号されている場合、ブロック５２４に示されるように、制御チャネルＰＵＣＣＨが、アップリンク制御パスとして選択される。正しく復号されなかった場合、ブロック５１８に示されるように、データ・チャネルＰＵＳＣＨが、アップリンク制御パスとして選択される。
【００５６】
前述されたＰＵＳＣＨ対ＰＵＣＣＨブラインド復号ルールは、データ・チャネルＰＵＳＣＨ、例えば信号対雑音比（ＳＮＲ）のような復号結果、および／または巡回冗長検査（ＣＲＣ）に依存しない。これによって、データ・チャネルＰＵＳＣＨは、制御チャネルＰＵＣＣＨよりも復号に長い時間を要するようになる。遅れがあった場合、例えばアップリンクＡＣＫのように、タイミングが重要なアップリンク制御情報は、ダウンリンクＨＡＲＱ処理デッドラインを満足しないことがありうる。
【００５７】
タイミングが重要ではないアップリンク制御情報の場合、データ・チャネルＰＵＳＣＨ復号結果が利用されうる。データ・チャネルＰＵＳＣＨおよび／または非周期的なＣＱＩ  ＣＲＣが復号されている場合、あるいは、信号対雑音比（ＳＮＲ）があるしきい値を上回る場合、アップリンク制御情報復号パスが、データ・チャネルＰＵＳＣＨとなるように選択されうる。そうではない場合、アップリンク制御情報復号パスが、制御チャネルＰＵＣＣＨとなるように選択されうる。
【００５８】
アップリンク送信パスが決定されると、ＵＥサウンディング基準信号（ＳＲＳ）、周波数トラッキング・ループ（ＦＴＬ）、タイミング・トラッキング・ループ（ＴＴＬ）、および信号対雑音比（ＳＮＲ）が、同じソースから選択されうる。
【００５９】
図６は、本開示の１つの態様を実施するように実行されるブロックの例を例示する機能ブロック図である。ブロック６０２では、基地局が、制御チャネル情報とデータ・チャネル情報とを含むアップリンク送信を受信する。ブロック６０４では、アップリンク送信において、第１のタイプの制御チャネル情報が期待されている場合、基地局が、データ・チャネルにおいて、第１のタイプの制御チャネル情報を復号することを試みる。ブロック６０６では、データ・チャネルにおいて、第１のタイプの制御チャネル情報を復号する試みが成功した場合、基地局が、データ・チャネルを、アップリンク制御パスとなるように選択する。ブロック６０８では、データ・チャネルにおいて、第１のタイプの制御チャネル情報を復号する試みが成功しなかった場合、基地局が、制御チャネルにおいて、第１のタイプの制御チャネル情報を復号することを試みる。ブロック６１０では、制御チャネルにおいて、第１のタイプの制御チャネル情報を復号する試みが成功した場合、基地局が、制御チャネルを、アップリンク制御パスとなるように選択する。
【００６０】
１つの構成では、例えばｅノードＢ１１０のような無線通信のための装置は、アップリンク送信を受信する手段と、制御チャネル情報の復号を試みる手段と、アップリンク制御パスを選択する手段とを含む。１つの態様では、受信するための前述した手段は、前述した手段によって詳述された機能を実行するように構成されたアンテナ４３４ａ−ｔおよび／または受信プロセッサ４３８でありうる。１つの態様では、復号を試みるための前述した手段は、前述した手段によって詳述された機能を実行するように構成された受信プロセッサ４３８、コントローラ／プロセッサ４４０、および／または、メモリ４４２でありうる。１つの態様では、アップリンク制御経路を選択するための前述した手段は、前述した手段によって詳述された機能を実行するように構成されたコントローラ／プロセッサ４４０および／またはメモリ４４２でありうる。別の態様では、前述した手段は、前述した手段によって記載された機能を実行するように構成されたモジュールまたは任意の装置でありうる。
【００６１】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６２】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６３】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００６４】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００６５】
本開示の前述した記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2013545414.tif 000003
【図２】
2013545414.tif 000004
【図３】
2013545414.tif 000005
【図４】
2013545414.tif 000006
【図５】
2013545414.tif 000007
【図６】
2013545414.tif 000008
【国際調査報告】
2013545414.tif 000009
2013545414.tif 000010
2013545414.tif 000011
2013545414.tif 000012